(57)【要約】【課題】  人が椅子に座っている際の姿勢について、正しい姿勢で椅子に座っているか否かを簡単に検査することができるようにして、姿勢矯正の参考情報を入手できるようにした姿勢検査システム及び姿勢検査用椅子を提供する。【解決手段】  身体の予め定められた部分に設けられ、固有情報が記憶された記憶手段を有する非接触ＩＣタグと、前記非接触ＩＣタグに記憶された固有情報を非接触で読み取る読取手段が、姿勢測定箇所にそれぞれ備えられている椅子と、前記椅子と通信可能に接続され、前記椅子から受信した情報に基づいて、前記身体が正しい姿勢で椅子に座っているか否かを判定する手段を有する管理装置と、が備えられている姿勢検査システムと、前記読取手段が、前記人体が前記椅子に正しく座った際に、該身体の胸部の後部と、腰部の後部と、膝部の後部とに対面する箇所にそれぞれ設けられている姿勢検査用椅子。【選択図】        図３
2008151622.tif 000002
【特許請求の範囲】
【請求項１】
正しい姿勢で椅子に座っているか否かを検査する姿勢検査システムであって、
身体の予め定められた部分に設けられ、固有情報が記憶された記憶手段を有する非接触ＩＣタグと、
前記非接触ＩＣタグに記憶された固有情報を非接触で読み取る読取手段が、姿勢測定箇所にそれぞれ備えられている椅子と、
前記椅子と通信可能に接続され、前記椅子から受信した情報に基づいて、前記身体が正しい姿勢で椅子に座っているか否かを判定する手段を有する管理装置と、
が備えられていることを特徴とする姿勢検査システム。
【請求項２】
身体の予め定められた部分に設けられ、固有情報が記憶された記憶手段を有する非接触ＩＣタグから、非接触で前記固有情報を読み取る読取手段が備えられた椅子であって、
前記読取手段が、前記人体が前記椅子に正しく座った際に、該身体の胸部の後部と、腰部の後部と、膝部の後部とに対面する箇所にそれぞれ設けられていることを特徴とする姿勢検査用椅子。
【発明の詳細な説明】
【技術分野】
【０００１】
本発明は、人体が正しい姿勢で椅子に座っているか否かを検査することができる姿勢検査システム及び、人体が正しい姿勢で座っているか否かを検査するための姿勢検査用椅子に関する。
【背景技術】
【０００２】
仕事や勉強などで椅子に長時間座り続ける生活をしている人の中には、正しくない姿勢で椅子に座わり続けた結果、次第に骨盤に歪みが生じて、筋肉が硬直して血管や神経が圧迫され、頭痛、肩こりが起きたり、リンパ節が圧迫されて老廃物の排泄がうまくいかず冷え性やむくみなどの障害をかかえている人がいる。
【０００３】
しかしながら、椅子に座る際の姿勢について、その本人自身が、どのような姿勢で座ることが正しい姿勢であるのかわからないことも多い。
例えば、本人自身が正しい姿勢で座っていると思っていても、個々人の癖や習慣などで自然に身体を左右のどちらかに傾向けた状態で座っていたり、椅子に対して腰部の座る位置が習慣として浅い状態で座っていたり、背中が猫背などの状態で座っていたりなど不健康な座り方をしていることも多く、本人自身が気づかないまま日頃から正しい姿勢で座っていない場合がある。
このために、本人自身も気づかない間に身体の所定部分に余計な付加をかけている場合もあるが、客観的に自分の日頃の座り方が正しい座り方をしているのか否かを調べることができないために、今後どのような点について注意して座るようにしたらよいのかといった矯正点についてもわからないという問題がある。
【０００４】
また、正しい姿勢を身に付けていくことは、健康な身体を形成していく上でも重要な要素であることから、できるだけ年齢が若いうちから正しい姿勢を身に付けることが大切である。
このために、例えば、小学校などの教室で生徒が授業を受けている時にも正しい座り方をして授業を受けているのかを調べて、健全な身体作りをしていくことも大切である。
しかしながら、先生が個々の生徒の座り方まで調べられないために、日頃から姿勢のよくない座り方をしている生徒が誰なのかがわからず、その生徒に対して正しい姿勢について指導できないという問題もある。
いずれにしても、従来は、座っている際の姿勢の状態について、簡単に調べることができないので、姿勢の矯正もどのようにしたらよいのかわからないという問題がある。
【０００５】
また、従来技術としては、姿勢矯正や骨盤矯正を行う機能を有する椅子が公知となっている。（例えば、特許文献１及び２、参照）
しかしながら、これら公知技術では、座っている姿勢が正しい姿勢であるか否かについてわからないために、その本人がこれから先に座る際にどのような点に心がけて座るようにしたらよいのかわからないという問題がある。
【０００６】
【特許文献１】特開２００５−１０３２１５号公報
【特許文献２】実用新案登録第３１０６１９２号公報
【発明の開示】
【発明が解決しようとする課題】
【０００７】
そこで、本発明は、人が椅子に座っている際の姿勢について、正しい姿勢で椅子に座っているか否かを簡単に検査することができるようにして、姿勢矯正の参考情報を入手できるようにした姿勢検査システム及び姿勢検査用椅子を提供する。
【課題を解決するための手段】
【０００８】
上記の課題を達成するために、本発明の姿勢検査システムは、正しい姿勢で椅子に座っているか否かを検査する姿勢検査システムであって、身体の予め定められた部分に設けられ、固有情報が記憶された記憶手段を有する非接触ＩＣタグと、前記非接触ＩＣタグに記憶された固有情報を非接触で読み取る読取手段が、姿勢測定箇所にそれぞれ備えられている椅子と、前記椅子と通信可能に接続され、前記椅子から受信した情報に基づいて、前記身体が正しい姿勢で椅子に座っているか否かを判定する手段を有する管理装置と、が備えられていることを特徴とする。
【０００９】
また、本発明の姿勢検査用椅子は、身体の予め定められた部分に設けられ、固有情報が記憶された記憶手段を有する非接触ＩＣタグから、非接触で前記固有情報を読み取る読取手段が備えられた椅子であって、
前記読取手段が、前記人体が前記椅子に正しく座った際に、該身体の胸部の後部と、腰部の後部と、膝部の後部とに対面する箇所にそれぞれ設けられていることを特徴とする。
【発明の効果】
【００１０】
したがって、本発明の姿勢検査システムは、身体が正しい姿勢で座っている場合に、椅子の所定の位置に設けられた読取手段で、身体に設けられた非接触ＩＣタグの情報を受信できるようにしてあるので、人が椅子に座っている際の姿勢について、正しい姿勢で椅子に座っているか否かを簡単に検査することができ、姿勢矯正の参考情報を入手できるという効果がある。
【００１１】
また、姿勢検査用椅子は、椅子の所定の位置に設けられた読取手段が、椅子に正しく座った際に、身体の胸部の後部と、腰部の後部と、膝部の後部とに対面する箇所にそれぞれ設けられているので、人が椅子に座っている際の姿勢について、正しい姿勢で椅子に座っているか否かを簡単に検査することができ、姿勢矯正の参考情報を入手できるという効果がある。
【発明を実施するための最良の形態】
【００１２】
以下、本発明の実施形態に係る姿勢検査システム及び姿勢検査用椅子について、図面に基づいて詳細に説明する。
図１は、本発明の実施形態に係る姿勢検査システム及び姿勢検査用椅子の概要を説明する図、図２は、本発明の実施形態に係る姿勢検査システムに使用する非接触ＩＣタグ身体取り付け具であって、（ａ）は、非接触ＩＣタグ身体取り付け具の斜視図、（ｂ）は、非接触ＩＣタグ身体取り付け具を身体の一部に巻き付けた状態を示す斜視図、図３は、本発明の実施形態に係る姿勢検査システムの使用状態を説明する図、図４は、本発明の実施形態に係る姿勢検査システムに用いる非接触ＩＣタグのシステムブロック図、図５は、本発明の実施形態に係る姿勢検査システムのシステム構成を示すシステムブロック図、図６は、本発明の実施形態に係る姿勢検査システムの処理手順を示すフローチャート図である。
【００１３】
まず、図１に示すように、本発明の実施形態に係る姿勢検査用椅子１（以下、椅子１ともいう。）は、図１に示すように、身体がその椅子１に座った状態となった際に、身体の胸部の後部と、腰部の後部と、膝部の後部とに対面する箇所に、それぞれ６つの読取手段であるアンテナ２ａ，２ｂ，３ａ，３ｂ，４ａ，４ｂが設けられている。
この６つのアンテナのうち、アンテナ２ａ，２ｂは、椅子１に座っている身体胸部の後部の位置について、椅子１の背もたれの部分に正しい姿勢で座っているか否かを判定する際に必要な情報を受信するためのものである。
また、アンテナ３ａ，３ｂは、椅子１に座っている身体腰部の後部の位置について、椅子１に正しい姿勢で座っているか否かを判定する際に必要な情報を受信するためのものである。
更に、アンテナ４ａ，４ｂは、椅子１に座っている身体膝部の後部の位置について、椅子１に正しい姿勢で座っているか否かを判定する際に必要な情報を受信するためのものである。
尚、上記の実施形態の説明では、一例として６つのアンテナを設けた椅子について説明するが、姿勢の状態をより正確に調べるためには、アンテナをできるだけ多く設けることが好ましい。
【００１４】
また、椅子１には、管理装置であるパソコン５が通信コード６で通信可能に接続されている。
椅子１に設けられた６つのアンテナ２ａ，２ｂ，３ａ，３ｂ，４ａ，４ｂで読み取られた情報は、通信コード６によりパソコン５へ送信されて、椅子１に座っている身体が正しい姿勢により座っているか否かを判定する際の情報として使用される。
【００１５】
更に、本発明の実施形態に係る姿勢検査システムでは、上記の椅子１と共に、図２に示す帯状の非接触ＩＣタグ身体取り付け具７が使用される。
この非接触ＩＣタグ身体取り付け具７には、非接触ＩＣタグ８が備えられ、また、身体の胴体や足などの巻きつけた後に、簡単に留められるようにするためにテープなどの留め具９が所定位置に設けられている。
非接触ＩＣタグ身体取り付け具７のサイズは、その非接触ＩＣタグ身体取り付け具７を巻きつける身体の部分に応じて、巻きつけ可能にその長さや幅寸法が設定されている。
この非接触ＩＣタグ身体取り付け具７は、身体に取り付ける場所により、非接触ＩＣタグ８を複数設ける場合もある。
図２に示す非接触ＩＣタグ身体取り付け具７は、膝部用であるので非接触ＩＣタグ８が１つだけ設けられているが、胸部用又は腰部用には、２つの非接触ＩＣタグ８が所定の間隔をあけて備えられている。
【００１６】
図２（ａ）には、身体に巻き付ける前の状態の非接触ＩＣタグ身体取り付け具７が示されているが、身体９に巻きつける場合には、図２（ｂ）に示すように、身体の一部に巻き付けた後に、テープなどの留め具９により固定される。
また、非接触ＩＣタグ身体取り付け具７を身体に巻き付ける際には、非接触ＩＣタグ８が設けられた部分を、身体に対して椅子１側にして巻き付け、座った際に、椅子１に設けられたアンテナが非接触ＩＣタグ８と近接できるようにして、非接触ＩＣタグ８に記憶されている固有情報の読み取りが行えるようにする。
【００１７】
図３には、本発明の実施形態に係る姿勢検査システムにより、椅子１に座った身体９の姿勢を検査している実施状態が示されている。
身体９には、胸部用非接触ＩＣタグ身体取り付け具７ａ、腰部用非接触ＩＣタグ身体取り付け具７ｂ、膝部用非接触ＩＣタグ身体取り付け具７ｃが、それぞれ予め定められた身体の位置に巻き付けられている。
身体に非接触ＩＣタグ身体取り付け具を巻き付ける位置は、椅子１に設けられた６つのアンテナ２ａ，２ｂ，３ａ，３ｂ，４ａ，４ｂとの関係で、正しい座り方を行った際に、それら各々のアンテナと、身体に巻き付けた際の非接触ＩＣタグ８とが近接する位置に設けるようにする。
【００１８】
非接触ＩＣタグ身体取り付け具に設けられた非接触ＩＣタグ８は、図４に示すように、アンテナ１０、ＣＰＵ１１、記憶手段であるメモリ１２が備えられ、このメモリ１２には、非接触ＩＣタグ８毎に異なるタグ管理番号などの固有情報が予め記憶されている。
椅子１に設けられたアンテナ２ａ，２ｂ，３ａ，３ｂ，４ａ，４ｂは、非接触ＩＣタグ８が近接して電波による送受信が可能な範囲となった場合に、非接触ＩＣタグ８から固有情報の読み取りが可能になる。
【００１９】
次に、本発明の実施形態に係る姿勢検査システムに関するシステム構成を、図５に示すシステムブロック図に基づいて説明する。
椅子１には、６つのアンテナ２ａ，２ｂ，３ａ，３ｂ，４ａ，４ｂと、制御手段１３と、記憶手段１４と、通信手段１５とが備えられている。
アンテナ２ａ，２ｂは、身体９が正しい姿勢で座っている場合に、胸部用非接触ＩＣタグ身体取り付け具７ａに設けられた２つの非接触ＩＣタグ８のアンテナ１０と送受信ができて、その２つの非接触ＩＣタグ８に記憶されている固有情報の読み取りが可能になっている。
【００２０】
また、アンテナ３ａ，３ｂは、身体９が正しい姿勢で座っている場合に、腰部用非接触ＩＣタグ身体取り付け具７ｂに設けられた２つの非接触ＩＣタグ８のアンテナ１０と送受信ができて、その２つの非接触ＩＣタグ８に記憶されている固有情報の読み取りが可能になっている。
そして、アンテナ４ａ，４ｂは、身体９が正しい姿勢で座っている場合に、膝部用非接触ＩＣタグ身体取り付け具７ｃに設けられた２つの非接触ＩＣタグ８のアンテナ１０と送受信ができて、その２つの非接触ＩＣタグ８に記憶されている固有情報の読み取りが可能になっている。
【００２１】
また、管理装置であるパソコン５には、通信手段１６、表示手段１７、計時手段１８、判定手段１９、登録手段２０、記憶手段２１、制御手段２２などが備えられている。
６つのアンテナ２ａ，２ｂ，３ａ，３ｂ，４ａ，４ｂは、非接触ＩＣタグ８が所定距離になった際に、それぞれの非接触ＩＣタグ８に記憶されている固有情報の読み取りを行い、それら読み取った固有情報をパソコン５に送信する。
これらの読み取り処理は、検査を行っている所定に時間の間に継続して行われる。
パソコン５の判定手段１９は、記憶手段２１に予め記憶されている照合用情報との照合処理を行い、姿勢が正しい状態であるか否かの判定を行う。
この判定手段１９での判定は、予め設定した時間間隔毎に行なわれる。
例えば、３０秒毎に判定した場合には、３０秒毎の固有情報の読み取り状態について判定結果がでることになる。
【００２２】
また、登録手段２０は、判定手段１９による判定結果の情報を記憶手段２１に登録する。
また、計時手段１８は、姿勢の検査を開始してから終了するまでの時間において、判定した結果を時系列で記憶手段２１に記憶させることができるようにしてあり、所定に時間内において座っている姿勢がどのように変化しているのかが記憶させられるようにしてある。
【００２３】
次に、本発明の実施形態に係る姿勢検査システムの処理手順を、図６のフローチャート図に基づいて説明する。
姿勢の検査を行う際には、まず、身体９に、胸部用非接触ＩＣタグ身体取り付け具７ａ、腰部用非接触ＩＣタグ身体取り付け具７ｂ、膝部用非接触ＩＣタグ身体取り付け具７ｃを、それぞれ予め定められた身体の位置に巻き付けた後に、椅子１に座り、検査開始用のスイッチを入れる。
その後、椅子１に設けられた６つのアンテナ２ａ，２ｂ，３ａ，３ｂ，４ａ，４ｂから電波が送信される。（ステップＳ１）
そして、各々の非接触ＩＣタグ身体取り付け具７の非接触ＩＣタグ８が、各々のアンテナに近づくことで、各々のアンテナが、非接触ＩＣタグ８に記憶されている固有情報を読み取る。（ステップＳ２）
【００２４】
アンテナは、読み取った固有情報を通信手段１５により、パソコン５に送信する。（ステップＳ３）
パソコン５は、読み取った固有情報に基づいて、姿勢が正しい状態となっているか否かを判定手段１９で判定する。（ステップＳ４）
そして、判定手段１９で判定された判定結果情報は、記憶手段２１に随時に時間経過情報と関係付けて記憶させる。（ステップＳ５）
また、この判定手段１９で判定された判定結果情報は、表示手段１７にも数値情報やグラフ情報などとして表示させる。（ステップＳ６）
【００２５】
以上の処理により、椅子１に座っている姿勢に関して、正しい姿勢か否かの情報を入手できるようにしてある。
また、これら記憶手段２１に記憶した情報を解析して、検査した個々人に対する姿勢に関する注意事項を分析して参考情報として表示させるようにしてもよい。
【００２６】
また、上記の実施形態においては、非接触ＩＣタグ身体取り付け具７を用いて非接触ＩＣタグ８を身体９に設けるようにしたが、複数の非接触ＩＣタグ８を予め備えた服を着るようにしてもよい。
また、本発明の実施形態に係る姿勢検査システム及び姿勢検査用椅子では、椅子１に設けたアンテナの全てが非接触ＩＣタグ８からの固有情報を読み取った場合に、正しい姿勢により座っていると判定されるように構成されているが、椅子１に設けるアンテナの数をより多くすることで、所定の位置に設けたアンテナが非接触ＩＣタグ８からの固有情報を読み取った場合に、正しくない姿勢で座っていることが判定されるようにしてもよい。
【図面の簡単な説明】
【００２７】
【図１】本発明の実施形態に係る姿勢検査システム及び姿勢検査用椅子の概要を説明する図である。
【図２】本発明の実施形態に係る姿勢検査システムに使用する非接触ＩＣタグ身体取り付け具であって、（ａ）は、非接触ＩＣタグ身体取り付け具の斜視図、（ｂ）は、非接触ＩＣタグ身体取り付け具を身体の一部に巻き付けた状態を示す斜視図である。
【図３】本発明の実施形態に係る姿勢検査システムの使用状態を説明する図である。
【図４】本発明の実施形態に係る姿勢検査システムに用いる非接触ＩＣタグのシステムブロック図である。
【図５】本発明の実施形態に係る姿勢検査システムのシステム構成を示すシステムブロック図である。
【図６】本発明の実施形態に係る姿勢検査システムの処理手順を示すフローチャート図である。
【符号の説明】
【００２８】
１  姿勢検査用椅子
２ａ，２ｂ，３ａ，３ｂ，４ａ，４ｂ，１０  アンテナ
５  パソコン
６  通信コード
７  非接触ＩＣタグ身体取り付け具
７ａ  胸部用非接触ＩＣタグ身体取り付け具
７ｂ  腰部用非接触ＩＣタグ身体取り付け具
７ｃ  膝部用非接触ＩＣタグ身体取り付け具
８  非接触ＩＣタグ
９  留め具
１１  ＣＰＵ
１２  メモリ
【図１】
2008151622.tif 000003
【図２】
2008151622.tif 000004
【図３】
2008151622.tif 000005
【図４】
2008151622.tif 000006
【図５】
2008151622.tif 000007
【図６】
2008151622.tif 000008